(57)【特許請求の範囲】
【請求項１】
アグロバクテリウム属細菌を介して植物材料への遺伝子導入を行う方法であって、
１）植物材料を１．７気圧ないし１０気圧の範囲で加圧処理し、次いで
２）植物材料をアグロバクテリウムに感染させる
ことを含む、前記方法。
【請求項２】
加圧処理が、２．４気圧ないし８気圧の範囲で行われる、請求項１に記載の方法。
【請求項３】
加圧処理が、０．１秒間ないし４時間行われる、請求項１または２のいずれか１項に記載の方法。
【請求項４】
加圧処理が、１秒間ないし３０分間行われる、請求項３に記載の方法。
【請求項５】
加圧処理が、液体中又は気体中のいずれかで行われる、請求項１ないし４のいずれか１項に記載の方法。
【請求項６】
植物材料をアグロバクテリウムに感染させる工程２）の前又は最中に、熱処理、遠心処理、超音波処理からなるグループから選択される、少なくとも１の処理を植物材料に行うことをさらに含む、請求項１ないし５のいずれか１項に記載の方法。
【請求項７】
植物材料が単子葉植物である、請求項１ないし６のいずれか１項に記載の方法。
【請求項８】
植物材料がイネ又はトウモロコシである、請求項１ないし６のいずれか１項に記載の方法。
【請求項９】
植物材料が双子葉植物である、請求項１ないし６のいずれか１項に記載の方法。
【請求項１０】
植物材料がタバコである、請求項１ないし６のいずれか１項に記載の方法。
【請求項１１】
植物材料が未熟胚である、請求項１ないし１０のいずれか１項に記載の方法。
【請求項１２】
植物材料をアグロバクテリウムに感染させる工程２）に次いで、さらに、
３）形質転換細胞を選抜する
工程を含む、請求項１ないし１１に記載の方法。
【請求項１３】
工程１）の加圧処理を行わない場合と比較して、遺伝子導入効率が向上する、請求項１ないし１２のいずれか１項に記載の方法。
【請求項１４】
１）植物材料を１．７気圧ないし１０気圧の範囲で加圧処理し、
２）植物材料をアグロバクテリウムに感染させ
３）形質転換細胞を選抜し、そして
４）選抜された形質転換体を再分化する
ことを含む、形質転換植物を生産するための方法。
【発明の詳細な説明】
【技術分野】
【０００１】  本出願は、２００３年８月１３日に提出された日本国特許出願２００３−２９３１２５に基づく優先権を主張する。【０００２】  本発明は、アグロバクテリウム属細菌を介して植物材料への遺伝子導入を行う方法に関する。
【背景技術】
【０００３】  アグロバクテリウム法による遺伝子導入は、アグロバクテリウムの機能を利用した植物の形質転換方法である。土壌細菌アグロバクテリウム（Ａｇｒｏｂａｃｔｅｒｉｕｍ  ｔｕｍｅｆａｃｉｅｎｓ）は、植物に感染すると、アグロバクテリウムの病原性に関与しているＴｉ（ｔｕｍｏｒ−ｉｎｄｕｃｉｎｇ）プラスミドの一部であるＴ−ＤＮＡが植物ゲノムに組み込まれる機能を有している。アグロバクテリウム法による植物の形質転換方法は、ＴｉプラスミドのＴ−ＤＮＡ領域を植物ゲノムに導入を所望する遺伝子に置き換えた形質転換用プラスミドを調製し、当該形質転換用プラスミドをＴｉプラスミドの代わりに有するように調製したアグロバクテリウムを用いて、上記のアグロバクテリウムの機能を利用することにより、当該植物ゲノムに導入を所望する遺伝子を植物ゲノム中に導入する方法である。【０００４】  アグロバクテリウム属細菌は双子葉植物のみを宿主とし、単子葉植物には寄生しないとされていたため、当初、アグロバクテリウム法による植物の形質転換法は主として双子葉植物の形質転換法として発展した。単子葉植物へのアグロバクテリウム法による遺伝子導入についても様々な試みがなされ、強病原性アグロバクテリウムの病原性遺伝子の一部を有するスーパーバイナリーベクターが開発され、このベクターを用いた方法においては、イネ、トウモロコシなどの単子葉植物においても安定して、比較的効率よく形質転換されることが報告された（Ｈｉｅｉ，ｅｔ  ａｌ．，１９９４；Ｉｓｈｉｄａ，ｅｔ  ａｌ．，１９９６；特許第２，６４９，２８７号；特許第３，３２９，８１９号）。さらに、コムギ、オオムギおよびソルガムといった単子葉植物についてもアグロバクテリウム法による形質転換の成功例が報告され、単子葉植物についてもアグロバクテリウム法による形質転換が広く行われるに至った。【０００５】  アグロバクテリウムによる形質転換法は、一般的に、効率が高い、導入される遺伝子のコピー数が少ない、Ｔ−ＤＮＡという特定の領域を断片化させることなく導入できる、短期間の培養により形質転換体を得ることができるため培養変異が少ないなど、多くの優れた特徴を持っている。このため、現在では双子葉、単子葉を問わず多くの植物種で最も有用な形質転換の手段として広く用いられている。【０００６】  アグロバクテリウムによる形質転換方法は、植物種により供試材料、培養培地の組成は異なるが、いずれの植物においても材料となる組織にアグロバクテリウム懸濁液を接触させ、共存培養の後に形質転換細胞の選抜を行い、形質転換植物を作出する点は共通している。一般に、材料となる植物組織は、必要に応じ滅菌処理がなされるが、それ以外に特別な処理をすることなくアグロバクテリウムの感染が行われる（Ｒｏｇｅｒｓ  ｅｔ  ａｌ．１９８８，Ｖｉｓｓｅｒ  １９９１，ＭｃＣｏｒｍｉｃｋ  １９９１，Ｌｉｎｄｓｅｙ  ｅｔ  ａｌ．１９９１）。【０００７】  アグロバクテリウムによる形質転換は多くの植物種で報告されているが、その形質転換効率は植物の種、遺伝子型そして材料となる組織により大きく異なる（Ｐｏｔｒｙｋｕｓ  ｅｔ  ａｌ．１９９８）という問題を有する。実用遺伝子を導入した品種を育成する場合、多数の���質転換植物を作出する必要があり、一年を通じて高い効率で、安定して形質転換植物の得られる技術の開発は重要である。また、植物の種や遺伝子型によらない形質転換法は、効率的に実用品種を育成する上で極めて有用である。さらに、材料となる植物組織によらない形質転換法の開発も、形質転換を効率的に進める上で必要である。【０００８】  このように遺伝子導入効率を向上させる、あるいは遺伝子導入が困難な植物種や遺伝子型も形質転換できる方法の開発は重要であり、現在までに多くの報告がなされている。しかし、その多くは、培地組成やマーカー遺伝子、プロモーターの改変あるいは供試材料の検討によるものである。アグロバクテリウム感染前の植物組織を遺伝子導入に適した状態にする処理方法を検討した例もあるが、それらはメス（Ｃｈａｎ  ｅｔ  ａｌ．１９９３）、パーティクルガン（Ｔｉｎｇａｙ  ｅｔ  ａｌ．１９９７）、超音波（Ｔｒｉｃｋ  ａｎｄ  Ｆｉｎｅｒ  １９９７，Ａｍｏａｈ  ｅｔ  ａｌ．２００１）、酵素処理（Ｗｅｂｅｒ  ｅｔ  ａｌ．２００３）などにより、いずれも組織を付傷することで感染効率を向上させるものである。【０００９】  Ｈｉｅｉらは、植物組織を遠心処理した後、アグロバクテリウムにより遺伝子導入を行うことにより無処理の組織に比べ高い効率で形質転換のなされることを見出した（ＷＯ  ０２／１２５２０、特開２０００−３４２２５６）。遠心処理による形質転換効率の向上は機構の詳細は不明であるが、上述の物理的に組織を付傷する方法とは異なり、遠心処理することで遺伝子導入が生じやすい生理状態に細胞が変化したものであると考えられる。同様に、熱処理、あるいは遠心処理と熱処理の双方を施した場合も、無処理の組織に比べ高い効率で形質転換のなされることを見出されている（特開２０００−３４２２５５、特開２０００−３４２２５３）。【００１０】  Ｔｅａｓｄａｌｅらは感染性のある形質転換ベクターを含む培地に植物組織を浸漬し、減圧あるいは／また加圧を行う形質転換方法を特許出願した（ＷＯ  ９９／４８３３５）。Ｔｅａｓｄａｌｅらは、加圧処理は形質転換ベクターの植物組織への浸透を促すために行われるとしている。しかし、その実験例では減圧処理を行った例は記載されているものの、加圧処理を行った例の記載はない。従って、実際に加圧処理が遺伝子導入効率を向上させる効果のあることを裏付けるデータは全く示されていない。【００１１】  Ｐｕｌｌｍａｎ  ａｎｄ  Ｐｅｔｅｒは加圧条件下で植物組織を培養することによりエンブリオジェニックなカルスの形成率を高める方法を特許出願した（ＵＳ  ６，４９２，１７４）。加圧強度１−２．５ａｔｍを８週間の培養期間中加えた試験では１．５ａｔｍでの培養が最も高いカルス形成率を示したとしている。また、その他の試験は全て１．５ａｔｍという極く低い加圧条件下で行われている。加圧処理が遺伝子導入に及ぼす効果についての記載はなされていない。
【特許文献１】国際特許公開公報ＷＯ  ０２／１２５２０
【特許文献２】国際特許公開公報ＷＯ  ９９／４８３５５
【特許文献３】米国特許公報第６，４９２，１７４号
【特許文献４】特許公報第２，６４９，２８７号
【特許文献５】特許公報第３，３２９，８１９号
【特許文献６】特開２０００−３４２２５６
【特許文献７】特開２０００−３４２２５５
【特許文献８】特開２０００−３４２２５３
【特許文献９】国際特許公開公報ＷＯ  ９５／０６７２２
【特許文献１０】国際特許公開公報ＷＯ０３／０２７２９０
【非特許文献１】Ａｍｏａｈ，Ｂ．Ｋ．，Ｗｕ，Ｈ．，Ｓｐａｒｋｓ，Ｃ．ａｎｄ  Ｊｏｎｅｓ，Ｈ．Ｄ．（２００１）Ｆａｃｔｏｒｓ  ｉｎｆｌｕｅｎｃｉｎｇ  Ａｇｒｏｂａｃｔｅｒｉｕｍ−ｍｅｄｉａｔｅｄ  ｔｒａｎｓｉｅｎｔ  ｅｘｐｒｅｓｓｉｏｎ  ｏｆ  ｕｉｄＡ  ｉｎ  ｗｈｅａｔ  ｉｎｆｌｏｒｅｓｃｅｎｃｅ  ｔｉｓｓｕｅ．Ｊｏｕｒｎａｌ  ｏｆ  Ｅｘｐｅｒｉｍｅｎｔａｌ  Ｂｏｔａｎｙ  ５２：１１３５−１１４２．
【非特許文献２】Ｃｈａｎ，Ｍ−Ｔ．，Ｃｈｅｎｇ，Ｈ−Ｈ．，Ｈｏ，Ｓ−Ｌ．，Ｔｏｎｇ，Ｗ−Ｆ．ａｎｄ  Ｙｕ，Ｓ−Ｍ．（１９９３）Ａｇｒｏｂａｃｔｅｒｉｕｍ−ｍｅｄｉａｔｅｄ  ｐｒｏｄｕｃｔｉｏｎ  ｏｆ  ｔｒａｎｓｇｅｎｉｃ  ｒｉｃｅ  ｐｌａｎｔｓ  ｅｘｐｒｅｓｓｉｎｇ  ａ  ｃｈｉｍｅｒｉｃ  α−ａｍｙｌａｚｅ  ｐｒｏｍｏｔｅｒ／β−ｇｌｕｃｕｒｏｎｉｄａｓｅ  ｇｅｎｅ．Ｐｌａｎｔ  Ｍｏｌｅｃｕｌａｒ  Ｂｉｏｌｏｇｙ，２２，４９１−５０６．
【非特許文献３】Ｈｉｅｉ，Ｙ．，Ｏｈｔａ，Ｓ．，Ｋｏｍａｒｉ，Ｔ．ａｎｄ  Ｋｕｍａｓｈｉｒｏ，Ｔ．（１９９４）Ｅｆｆｉｃｉｅｎｔ  ｔｒａｎｓｆｏｒｍａｔｉｏｎ  ｏｆ  ｒｉｃｅ（Ｏｒｙｚａ  ｓａｔｉｖａ  Ｌ．）ｍｅｄｉａｔｅｄ  ｂｙ  Ａｇｒｏｂａｃｔｅｒｉｕｍ  ａｎｄ  ｓｅｑｕｅｎｃｅ  ａｎａｌｙｓｉｓ  ｏｆ  ｔｈｅ  ｂｏｕｎｄａｒｉｅｓ  ｏｆ  ｔｈｅ  Ｔ−ＤＮＡ．Ｔｈｅ  Ｐｌａｎｔ  Ｊｏｕｒｎａｌ，６，２７１−２８２．
【非特許文献４】Ｈｏｅｋｅｍａ，Ａ．，Ｈｉｒｓｃｈ，Ｐ．Ｒ．，Ｈｏｏｙｋａａｓ，Ｐ．Ｊ．Ｊ．ａｎｄ  Ｓｃｈｉｌｐｅｒｏｏｒｔ，Ｒ．Ａ．（１９８３）Ａ  ｂｉｎａｒｙ  ｐｌａｎｔ  ｖｅｃｔｏｒ  ｓｔｒａｔｅｇｙ  ｂａｓｅｄ  ｏｎ  ｓｅｐａｒａｔｉｏｎ  ｏｆ  ｖｉｒ−ａｎｄ  Ｔ−ｒｅｇｉｏｎ  ｏｆ  ｔｈｅ  Ａｇｒｏｂａｃｔｅｒｉｕｍ  ｔｕｍｅｆａｃｉｅｎｓ  Ｔｉ−ｐｌａｓｍｉｄ．Ｎａｔｕｒｅ，３０３，１７９−１８０．
【非特許文献５】Ｉｓｈｉｄａ，Ｙ．，Ｓａｉｔｏ，Ｈ．，Ｏｈｔａ，Ｓ．，Ｈｉｅｉ，Ｙ．，Ｋｏｍａｒｉ，Ｔ．ａｎｄ  Ｋｕｍａｓｈｉｒｏ，Ｔ．（１９９６）Ｈｉｇｈ  ｅｆｆｉｃｉｅｎｃｙ  ｔｒａｎｓｆｏｒｍａｔｉｏｎ  ｏｆ  ｍａｉｚｅ（Ｚｅａ  ｍａｙｓ  Ｌ．）ｍｅｄｉａｔｅｄ  ｂｙ  Ａｇｒｏｂａｃｔｅｒｉｕｍ  ｔｕｍｅｆａｃｉｅｎｓ．Ｎａｔｕｒｅ  Ｂｉｏｔｅｃｈ．１４：７４５−７５０．
【非特許文献６】Ｋｏｍａｒｉ，Ｔ．（１９９０）Ｇｅｎｅｔｉｃ  ｃｈａｒａｃｔｅｒｉｚａｔｉｏｎ  ｏｆ  ａ  ｄｏｕｂｌｅ−ｆｌｏｗｅｒｅｄ  ｔｏｂａｃｃｏ  ｐｌａｎｔ  ｏｂｔａｉｎｅｄ  ｉｎ  ａ  ｔｒａｎｓｆｏｒｍａｔｉｏｎ  ｅｘｐｅｒｉｍｅｎｔ．Ｔｈｅｏｒ．Ａｐｐｌ．Ｇｅｎｅｔ．８０：１６７−１７１．
【非特許文献７】Ｋｏｍａｒｉ，Ｔ．ａｎｄ  Ｋｕｂｏ，Ｔ．（１９９９）Ｍｅｔｈｏｄｓ  ｏｆ  Ｇｅｎｅｔｉｃ  Ｔｒａｎｓｆｏｒｍａｔｉｏｎ：Ａｇｒｏｂａｃｔｅｒｉｕｍ  ｔｕｍｅｆａｃｉｅｎｓ．Ｉｎ  Ｖａｓｉｌ，Ｉ．Ｋ．（ｅｄ．）Ｍｏｌｅｃｕｌａｒ  ｉｍｐｒｏｖｅｍｅｎｔ  ｏｆｃｅｒｅａｌ  ｃｒｏｐｓ．Ｋｌｕｗｅｒ  Ａｃａｄｅｍｉｃ  Ｐｕｂｌｉｓｈｅｒｓ，Ｄｏｒｄｒｅｃｈｔ，ｐｐ．４３−８２．
【非特許文献８】Ｌｉｎｄｓｅｙ，Ｋ．，Ｇａｌｌｏｉｓ，Ｐ．ａｎｄ  Ｅａｄｙ，Ｃ．（１９９１）Ｒｅｇｅｎｅｒａｔｉｏｎ  ａｎｄ  ｔｒａｎｓｆｏｒｍａｔｉｏｎ  ｏｆ  ｓｕｇａｒｂｅｅｔ  ｂｙ  Ａｇｒｏｂａｃｔｅｒｉｕｍ  ｔｕｍｅｆａｃｉｅｎｓ．Ｐｌａｎｔ  Ｔｉｓｓｕｅ  Ｃｕｌｔｕｒｅ  Ｍａｎｕａｌ  Ｂ７：１−１３．Ｋｌｕｗｅｒ  Ａｃａｄｅｍｉｃ  Ｐｕｂｌｉｓｈｅｒｓ．
【非特許文献９】ＭｃＣｏｒｍｉｃｋ，Ｓ．（１９９１）Ｔｒａｎｓｆｏｒｍａｔｉｏｎ  ｏｆ  ｔｏｍａｔｏ  ｗｉｔｈ  Ａｇｒｏｂａｃｔｅｒｉｕｍ  ｔｕｍｅｆａｃｉｅｎｓ．Ｐｌａｎｔ  Ｔｉｓｓｕｅ  Ｃｕｌｔｕｒｅ  Ｍａｎｕａｌ  Ｂ６：１−９．Ｋｌｕｗｅｒ  Ａｃａｄｅｍｉｃ  Ｐｕｂｌｉｓｈｅｒｓ．
【非特許文献１０】Ｐｏｔｒｙｋｕｓ，Ｉ．，Ｂｉｌａｎｇ，Ｒ．，Ｆｕｔｔｅｒｅｒ，Ｊ．，Ｓａｕｔｔｅｒ，Ｃ．ａｎｄ  Ｓｃｈｒｏｔｔ，Ｍ．（１９９８）Ａｇｒｉｃｕｌｔｕｒａｌ  Ｂｉｏｔｅｃｎｏｌｏｇｙ，ＮＹ：Ｍｅｒｃｅｌ  Ｄｅｋｋｅｒ  Ｉｎｃ．ｐｐ．１１９−１５９．
【非特許文献１１】Ｒｏｇｅｒｓ，Ｓ．Ｇ．，Ｈｏｒｓｃｈ，Ｒ．Ｂ．ａｎｄ  Ｆｒａｌｅｙ，Ｒ．Ｔ．（１９８８）Ｇｅｎｅ  ｔｒａｎｓｆｅｒ  ｉｎ  ｐｌａｎｔｓ：Ｐｒｏｄｕｃｔｉｏｎ  ｏｆ  ｔｒａｎｓｆｏｒｍｅｄ  ｐｌａｎｔｓ  ｕｓｉｎｇ  Ｔｉ  ｐｌａｓｍｉｄ  ｖｅｃｔｏｒｓ．Ｍｅｔｈｏｄ  ｆｏｒ  Ｐｌａｎｔ  Ｍｏｌｅｃｕｌａｒ  Ｂｉｏｌｏｇｙ，ＣＡ：Ａｃａｄｅｍｉｃ  Ｐｒｅｓｓ  Ｉｎｃ．ｐｐ．４２３−４３６．
【非特許文献１２】Ｔｉｎｇａｙ，Ｓ．，ＭｃＥｌｒｏｙ，Ｄ．，Ｋａｌｌａ，Ｒ．，Ｆｉｅｇ，Ｓ．，Ｗａｎｇ，Ｍ．，Ｔｈｏｒｎｔｏｎ，Ｓ．ａｎｄ  Ｂｒｅｔｔｅｌｌ，Ｒ．（１９９７）Ａｇｒｏｂａｃｔｅｒｉｕｍ  ｔｕｍｅｆａｃｉｅｎｓ−ｍｅｄｉａｔｅｄ  ｂａｒｌｅｙ  ｔｒａｎｓｆｏｒｍａｔｉｏｎ．Ｔｈｅ  Ｐｌａｎｔ  Ｊｏｕｒｎａｌ  １１：１３６９−１３７６．
【非特許文献１３】Ｔｒｉｃｋ，Ｈ．Ｎ．ａｎｄ  Ｆｉｎｅｒ，Ｊ．Ｊ．（１９９７）ＳＡＡＴ：ｓｏｎｉｃａｔｉｏｎ−ａｓｓｉｓｔｅｄ  Ａｇｒｏｂａｃｔｅｒｉｕｍ−ｍｅｄｉａｔｅｄ  ｔｒａｎｓｆｏｒｍａｔｉｏｎ．Ｔｒａｎｓｇｅｎｉｃ  Ｒｅｓｅａｒｃｈ  ６：３２９−３３６．
【非特許文献１４】Ｖｉｓｓｅｒ，Ｒ．Ｇ．Ｆ．（１９９１）Ｒｅｇｅｎｅｒａｔｉｏｎ  ａｎｄ  ｔｒａｎｓｆｏｒｍａｔｉｏｎ  ｏｆ  ｐｏｔａｔｏ  ｂｙ  Ａｇｒｏｂａｃｔｅｒｉｕｍ  ｔｕｍｅｆａｃｉｅｎｓ．Ｐｌａｎｔ  Ｔｉｓｓｕｅ  Ｃｕｌｔｕｒｅ  Ｍａｎｕａｌ  Ｂ５：１−９．Ｋｌｕｗｅｒ  Ａｃａｄｅｍｉｃ  Ｐｕｂｌｉｓｈｅｒｓ．
【非特許文献１５】Ｗｅｂｅｒ，Ｓ．，Ｆｒｉｅｄｔ，Ｗ．，Ｌａｎｄｅｓ，Ｎ．，Ｍｏｌｉｎｉｅｒ，Ｊ．，Ｈｉｍｂｅｒ，Ｃ．，Ｒｏｕｓｓｅｌｉｎ，Ｐ．，Ｈａｈｎｅ，Ｇ．ａｎｄ  Ｈｏｒｎ，Ｒ．（２００３）Ｉｍｐｒｏｖｅｄ  Ａｇｒｏｂａｃｔｅｒｉｕｍ−ｍｅｄｉａｔｅｄ  ｔｒａｎｓｆｏｒｍａｔｉｏｎ  ｏｆ  ｓｕｎｆｌｏｗｅｒ（Ｈｅｌｉａｎｔｈｕｓ  ａｎｎｕｕｓ  Ｌ．）：ａｓｓｅｓｓｍｅｎｔ  ｏｆ  ｍａｃｅｒａｔｉｎｇ  ｅｎｚｙｍｅｓ  ａｎｄ  ｓｏｎｉｃａｔｉｏｎ．Ｐｌａｎｔ  Ｃｅｌｌ  Ｒｅｐｏｒｔｓ  ２１：４７５−４８２．
【発明の開示】
【発明が解決しようとする課題】
【００１２】  本発明は、アグロバクテリウム属細菌を介して植物材料への遺伝子導入を行う方法を提供する。本発明の方法は、
１）植物材料を加圧処理し、次いで
２）植物材料をアグロバクテリウムに感染させる
ことを含む、ことを特徴とする。本発明の方法は、工程１）の加圧処理を行わない場合と比較して、遺伝子導入効率が向上する。
【課題を解決するための手段】
【００１３】  本発明者らは、上記問題解決のため鋭意研究に努めた結果、植物組織を加圧処理後、アグロバクテリウム細菌と共存培養することにより、無処理の組織に比べ、安定して高い効率で遺伝子導入のなされることを見いだした。さらに、加圧処理による遺伝子導入効率向上の効果は、単子葉、双子葉を問わず認められることを確認した。また、遺伝子導入された植物材料について、さらに、形質転換細胞の選抜及び形質転換植物の再分化を行ったところ、加圧処理した材料は無処理の材料に比べ、飛躍的に形質転換効率が向上することを見いだした。さらに、加圧処理することにより植物組織の増殖（例えば、未熟胚からのカルス増殖）が旺盛になることを明らかにした。【００１４】  よって、本発明は、アグロバクテリウム属細菌を介して植物材料への遺伝子導入を行う方法であって、
１）植物材料を加圧処理し、次いで
２）植物材料をアグロバクテリウムに感染させる
ことを含む、方法に関する。即ち、本発明において、植物材料の加圧処理は、アグロバクテリウムの感染と同時ではなく、その前に行われる。【００１５】  加圧処理は、限定されるわけではないが、好ましくは１．７気圧ないし１０気圧の範囲、より好ましくは２．４気圧ないし８気圧の範囲で行われる。最も好ましくは、４気圧から８気圧である。上記加圧処理の範囲は常圧を１気圧としたときのものである。従って、例えば、１．７気圧の加圧処理とは常圧に０．７気圧の圧を加えた状態を示し、同様に１０気圧の加圧処理とは常圧プラス９気圧の状態を示す。また、加圧処理時間は、限定されるわけではないが、好ましくは０．１秒間ないし４時間、より好ましくは１秒間ないし３０分間行う。【００１６】  加圧処理は、液体中又は気体中のいずれで行ってもよい。液体は、非限定的に、水（例えば、滅菌蒸留水）、液体培地、その他植物組織の生育を阻害しない液体等を使用可能である。気体は、非限定的に、空気中、酸素中、その他植物組織の生育を阻害しない気体等を使用可能である。【００１７】  加圧処理の方法は、例えば、注射器を組み合わせ、クランプで注射器をはさみ、クランプを狭めることにより注射器内の圧を高めることによって行うことができる。加圧の強度は、例えば、注射器内の空気の体積の減少率から算出できる。あるいは、加圧処理は、１）植物組織を含む容器にコンプレッサー等で気体を送り、容器の内圧を高める、または、２）外気と接しないように密封した袋等に入れた植物組織を液体中に沈下し、水圧により加圧する、ことによって行っても良い。【００１８】  本発明の方法は、アグロバクテリウム属細菌に感染させる植物材料として、加圧処理したものを用いることを特徴とするものであり、アグロバクテリウム属細菌を用いた遺伝子導入あるいは形質転換方法自体としては、周知の方法をそのまま適用することが可能である。【００１９】 アグロバクテリウム属細菌を用いた遺伝子導入及び形質転換方法
アグロバクテリウム属細菌を用いた遺伝子導入は、一般には以下の工程を含む：
ａ）植物材料を調製する工程；
ｂ）所望の導入遺伝子を含むベクターを含むアグロバクテリウム属細菌を調製する工程；
ｃ）工程ａ）で調製した植物材料をｂ）で調製したアグロバクテリウム属細菌に感染させる工程。【００２０】  さらに、形質転換体を得るために、上記工程ｃ）に次いで
ｄ）形質転換細胞を選抜する工程；及び
ｅ）所望により選抜された形質転換体を再分化する工程
を施してもよい。【００２１】 工程ａ）について
本明細書に遺伝子導入に供される「植物」は、単子葉植物および双子葉植物のいずれも含む。単子葉植物には、イネ、トウモロコシ、オオムギ、コムギ、アスパラガス、ソルガム、その他が含まれるがこれらに限定されるものではない。好ましくは、イネ又はトウモロコシである。双子葉植物にはタバコ、ダイズ、ジャガイモ、ヒマワリ、その他が含まれるがこれらに限定されるものではない。好ましくは、タバコである。【００２２】  また、「植物材料」とは、非限定的に、アグロバクテリウム法による植物の形質転換に供するための当該植物の細胞、葉、根、茎、実、その他いずれの部位の植物組織、未熟胚、カルスもしくは不定胚様組織（以下、本明細書においてカルス等、または単にカルスという）、または完全な植物体など植物のあらゆる態様を包含する。【００２３】  本発明の方法に用いる植物の形態として望ましいのは未熟胚またはカルスであり、最も望ましいのは未熟胚である。本明細書において、植物の細胞、組織、完全な植物体という表現は、技術分野において一般的に用いられる意味で用いられる。本明細書において、未熟胚とは、受粉後の登熟過程にある未熟種子の胚をいう。また、本発明の方法に供される未熟胚のステージ（熟期）は特に限定されるものではなく、受粉後いかなる時期に採取されたものであってもよい。もっとも、受粉後２日以降のものが好ましい。形質転換後、正常な個体を再生する能力を有するカルスを誘導できる、未熟胚胚盤を用いることが好ましい。また、未熟胚はインブレッド、インブレッド間のＦ１、インブレッドと自然受粉品種間のＦ１、市販Ｆ１品種の未熟胚であることが好ましい。本明細書において、カルスとは、無秩序に増殖する未分化状態の細胞塊をいう。カルスを得るためには、植物組織の分化した細胞をオーキシン（例えば、２，４−Ｄ（２，４−ジクロロフェノキシ酢酸））またはサイトカイニン等の植物成長調節物質を含む培地（脱分化培地という）において培養して得ることができる。このカルスを得るための処理を脱分化処理といい、またこの過程を脱分化過程という。【００２４】  工程ａ）において、必要に応じ、植物組織、未熟胚などを植物体、種子などから取り出し、形質転換に最適な材料を調製する。また、所望により植物材料をアグロバクテリウムに感染させる前に培養してもよい。【００２５】  本発明では、工程ａ）で植物材料を調製する過程、あるいは調製後、工程ｃ）でアグロバクテリウムに感染させる前に、植物材料に加圧処理を施すことを特徴とする。【００２６】 工程ｂ）について
土壌細菌アグロバクテリウム（Ａｇｒｏｂａｃｔｅｒｉｕｍ  ｔｕｍｅｆａｃｉｅｎｓ）が多くの双子葉植物に根頭癌腫病（ｃｒｏｗｎ  ｇａｌｌ  ｄｉｓｅａｓｅ）を引き起こすことは古くから知られており、１９７０年代には、Ｔｉプラスミドが病原性に関与すること、さらにＴｉプラスミドの一部であるＴ−ＤＮＡが植物ゲノムに組み込まれることが発見された。その後このＴ−ＤＮＡには癌腫の誘発に必要なホルモン（サイトカイニンとオーキシン）の合成に関与する遺伝子が存在し、細菌遺伝子でありながら植物中で発現することが明らかにされた。Ｔ−ＤＮＡの切り出しと植物への伝達にはＴｉプラスミド上のヴィルレンス領域（ｖｉｒ領域）に存在する遺伝子群が必要であり、またＴ−ＤＮＡが切り出されるためにはＴ−ＤＮＡの両端に存在するボーダー配列が必要である。他のアグロバクテリウム属細菌であるＡｇｒｏｂａｃｔｅｒｉｕｍ  ｒｈｉｚｏｇｅｎｅｓもＲｉプラスミドによる同様なシステムを有している（例えば、特開２０００−３４２２５６図３び図４）。【００２７】  アグロバクテリウムの感染によってＴ−ＤＮＡが植物ゲノムに組み込まれるので、Ｔ−ＤＮＡ上に所望の遺伝子を挿入するとこの遺伝子も植物ゲノムに組み込まれることが期待された。しかしながら、Ｔｉプラスミドは１９０ｋｂ以上と巨大であるため、標準的な遺伝子工学手法ではプラスミド上のＴ−ＤＮＡ上に遺伝子を挿入することは困難であった。そのため、Ｔ−ＤＮＡ上に外来遺伝子を挿入するための方法が開発された。【００２８】  まず、腫瘍性のＴｉプラスミドのＴ−ＤＮＡからホルモン合成遺伝子が除去されたディスアーム型の菌系（ｄｉｓａｒｍｅｄ  ｓｔｒａｉｎｓ）であるＬＢＡ４４０４（Ｈｏｅｋｅｍａ  ｅｔ  ａｌ．，１９８３）、Ｃ５８Ｃ１（ｐＧＶ３８５０）、ＧＶ３Ｔｉ１１ＳＥなどが作製された。これらを用いることにより、所望の遺伝子をアグロバクテリウムのＴｉプラスミドのＴ−ＤＮＡ中に、あるいは所望の遺伝子を有するＴ−ＤＮＡをアグロバクテリウムに導入する２種類の方法が開発された。このうちの一つは、遺伝子操作が容易で所望の遺伝子の挿入が可能であり、大腸菌で複製ができる中間ベクターを、アグロバクテリウムのディスアーム型ＴｉプラスミドのＴ−ＤＮＡ領域中に、三系交雑法（ｔｒｉｐａｒｅｎｔａｌ  ｍａｔｉｎｇ）を介して相同組換えにより導入する方法であり、中間ベクター法と呼ばれる。【００２９】  もう一つは、バイナリーベクター（ｂｉｎａｒｙ  ｖｅｃｔｏｒ）法とよばれるもので、Ｔ−ＤＮＡの植物への組み込みにｖｉｒ領域が必要であるが、機能するために同じプラスミド上に存在する必要はないという結果に基づいている。このｖｉｒ領域にはｖｉｒＡ、ｖｉｒＢ、ｖｉｒＣ、ｖｉｒＤ、ｖｉｒＥ及びｖｉｒＧが存在し、（植物バイオテクノロジー事典（エンタプライズ株式会社発行（１９８９）））、ｖｉｒ領域とはこのｖｉｒＡ、ｖｉｒＢ、ｖｉｒＣ、ｖｉｒＤ、ｖｉｒＥ及びｖｉｒＧの全てを含むものをいう。したがって、バイナリーベクターは、Ｔ−ＤＮＡをアグロバクテリウムと大腸菌の両方で複製可能な小さなプラスミドに組み込んだものであり、これをディスアーム型Ｔｉプラスミドを有するアグロバクテリウムに導入して用いる。【００３０】  アグロバクテリウムへのバイナリーベクターの導入には、エレクトロポレーション法や三系交雑法などの、公知の方法により行うことができる。バイナリーベクターには、ｐＢＩＮ１９、ｐＢＩ１２１、ｐＧＡ４８２などがあり、これらをもとに数多くの新たなバイナリーベクターが構築され、形質転換に用いられている。また、Ｒｉプラスミドのシステムにおいても、同様なベクターが構築され形質転換に用いられている。【００３１】  アグロバクテリウムＡ２８１は、強病原性（ｓｕｐｅｒ−ｖｉｒｕｌｅｎｔ）の菌系であり、その宿主範囲は広く、形質転換効率も他の菌系より高い。この特性は、Ａ２８１が有するＴｉプラスミドのｐＴｉＢｏ５４２によるものである。ｐＴｉＢｏ５４２を用いて、これまでに２つの新しいシステムが開発されている。一つはｐＴｉＢｏ５４２のディスアーム型のＴｉプラスミドを有する菌系ＥＨＡ１０１およびＥＨＡ１０５を用いたものであり、これらを上述のバイナリーベクターシステムに適用することにより、形質転換能力の高いシステムとして種々の植物の形質転換に利用されている。【００３２】  もう一つは、スーパーバイナリーベクター（’ｓｕｐｅｒ−ｂｉｎａｒｙ’ｖｅｃｔｏｒ）（Ｈｉｅｉ  ｅｔ  ａｌ．（１９９４）；Ｉｓｈｉｄａ  ｅｔ  ａｌ．（１９９６）；Ｋｏｍａｒｉ  ｅｔ  ａｌ．（１９９９）；ＷＯ９５／０６７２２）システムである（例：特開２０００−３４２２５６の図４）。このシステムは、ｖｉｒ領域（ｖｉｒＡ、ｖｉｒＢ、ｖｉｒＣ、ｖｉｒＤ、ｖｉｒＥ及びｖｉｒＧ（以下、これらをぞれぞれ「ｖｉｒ断片領域」ということもある。））を持つディスアーム型のＴｉプラスミドおよびＴ−ＤＮＡを有するプラスミドからなることから、バイナリーベクターシステムの一種である。しかしながら、Ｔ−ＤＮＡを有する側のプラスミド、即ちバイナリーベクターにｖｉｒ断片領域のうち、少なくとも一つのｖｉｒ断片領域を実質的に取除いたｖｉｒ領域の断片（このうち好ましくは少なくともｖｉｒＢ又はｖｉｒＧを含む断片、さらに好ましくはｖｉｒＢ及びｖｉｒＧを含む断片）を組み込んだスーパーバイナリーベクターを用いる点で異なる。なお、スーパーバイナリーベクターを有するアグロバクテリウムに、所望の遺伝子を組み込んだＴ−ＤＮＡ領域を導入するには、三系交雑法を介した相同組換えが容易な手法として利用できる。【００３３】  本発明の方法においては、宿主となるアグロバクテリウム属細菌としては、特に限定されないが、Ａｇｒｏｂａｃｔｅｒｉｕｍ  ｔｕｍｅｆａｃｉｅｎｓ（例えば上述のＡｇｒｏｂａｃｔｅｒｉｕｍ  ｔｕｍｅｆａｃｉｅｎｓ  ＬＢＡ４４０４（Ｈｏｅｋｅｍａ  ｅｔ  ａｌ．，１９８３）およびＥＨＡ１０１を好ましく用いることができる。【００３４】  本発明の方法によれば、アグロバクテリウム属細菌における病原性（ｖｉｒ）領域の遺伝子群の発現に基づく遺伝子導入系であれば、特に限定されることなく有意な効果を得ることができる。したがって、上述の中間ベクター、バイナリーベクター、強病原性のバイナリーベクター、スーパーバイナリーベクターなどいずれのベクターシステムに対しても用いることができ、本発明による効果を得ることができる。これらのベ���ター類を改変した異なるベクターシステムを用いた場合においても同様である（例えば、アグロバクテリウム属細菌のｖｉｒ領域の一部または全部を切り出し付加的にプラスミド中に組み込む、ｖｉｒ領域の一部または全部を切り出し新たなプラスミドの一部としてアグロバクテリウムに導入するなど）。また、本発明の方法によれば、野生型のアグロバクテリウム属細菌においても、植物へ野生型のＴ−ＤＮＡ領域の導入効率を高め、事実上感染効率を向上させることができる。【００３５】  植物に導入しようとする所望の遺伝子は、上記プラスミドのＴ−ＤＮＡ領域中の制限酵素部位に常法により組み込むことができ、当該プラスミドに同時に若しくは別途組込んだカナマイシン、パロモマイシン等の薬剤に対する耐性を有する遺伝子等の適当な選択マーカーに基づいて選択することができる。大型で多数の制限部位を持つものは、通常のサブクローニングの手法では所望のＤＮＡをＴ−ＤＮＡ領域内に導入することが必ずしも容易でないことがある。このような場合には、三系交雑法により、アグロバクテリウム属細菌の細胞内での相同組換えを利用することで目的のＤＮＡを導入することができる。限定されるわけではないが、導入される遺伝子の大きさは好ましくは約１００ｂｐないし２００ｋｂｐである。【００３６】  また、プラスミドをＡｇｒｏｂａｃｔｅｒｉｕｍ  ｔｕｍｅｆａｃｉｅｎｓ等のアグロバクテリウム属細菌に導入する操作は従来法により行うことができ、例としては、上記した三系交雑法やエレクトロポレーション法、エレクトロインジェクション法、ＰＥＧなどの化学的な処理による方法などが含まれる。【００３７】  植物に導入しようとする遺伝子は、従来の技術と同様に基本的にはＴ−ＤＮＡの左右境界配列の間に配置されるものである。しかし、プラスミドが環状であるため、境界配列の数は１つでもよく、複数の遺伝子を異なる部位に配置しようとする場合には、境界配列が３個以上あってもよい。また、アグロバクテリウム属細菌中で、ＴｉまたはＲｉプラスミド上に配置されてもよく、または他のプラスミド上に配置されてもよい。さらには、複数の種類のプラスミド上に配置されてもよい。【００３８】 工程ｃ）について
アグロバクテリウム属細菌を介して遺伝子導入を行う方法は、植物材料をアグロバクテリウム属細菌と単に接触させることにより行うことができる。例えば、１０６〜１０１１細胞／ｍｌ程度の細胞濃度のアグロバクテリウム属細菌懸濁液を調製し、この懸濁液中に植物材料を３〜１０分間程度浸漬後、固体培地上で数日間共存培養することにより行うことができる。【００３９】  好ましくは、植物材料をアグロバクテリウムに感染させると同時に、あるいは感染後、アグロバクテリウムを除去する前に、植物材料をアグロバクテリウムと共存培養させる。培養用の液は公知の培地を使用できる。例えば、実施例で使用したｎＮ６−Ａｓ培地、ｎＮＢ−Ａｓ培地、ＬＳ−ＡＳ培地あるいはその他、Ｎ６Ｓ３−ＡＳ培地、２Ｎ６−ＡＳ培地（Ｈｉｅｉ  ｅｔ  ａｌ．１９９４）等の培地が知られている。【００４０】  本発明において、植物材料をアグロバクテリウムに感染させる工程ｃ）の前又は最中に、熱処理、遠心処理、超音波処理からなるグループから選択される、少なくとも１つの処理を植物材料に行ってもよい。これらの処理も、アグロバクテリウム属細菌を介して植物材料への遺伝子導入する方法において、遺伝子導入の効率を高めることが知られている。例えば、遠心処理については、例えば、ＷＯ  ０２／１２５２０、特開２０００−３４２２５６に記載されており、好ましくは、１００Ｇないし２５万Ｇで１秒間ないし４時間、遠心することで行う。熱処理については、例えば、特開２０００−３４２２５５に記載されており、好ましくは、３３℃ないし６０℃の温度範囲で、５秒間ないし２４時間の熱処理を行う。さらに、超音波処理については、例えば、Ｔｒｉｃｋ  ａｎｄ  Ｆｉｎｅｒ  １９９７，Ａｍｏａｈ  ｅｔ  ａｌ．２００１に記載されている。【００４１】  これらの加圧、加熱、遠心等の処理はいずれか１つを行ってもよく、また複数組み合わせて行ってもよい。例えば、特開２０００−３４２２５３は、熱処理と遠心処理を組み合わせて行うことについて記載している。【００４２】 工程ｄ）及びｅ）について
さらに所望により、形質転換体を得るためには、上記工程ｃ）に次いで
ｄ）形質転換細胞を選抜する工程；及び
ｅ）所望により選抜された形質転換体を再分化する工程
が必要である。即ち、一般に植物の形質転換を行うためには、植物細胞に外来遺伝子を導入した後に、外来遺伝子が安定して染色体に組み込まれた植物細胞を選抜することが必要である。【００４３】  形質転換された細胞を選抜する工程は、表現型のデータ及び物理的データの少なくとも一つ、好ましくは両方が目的の形質を有する細胞を選択する、ことを意味する。【００４４】  表現型のデータは、例えば、形質転換効率は植物への導入を所望する遺伝子と共に、マーカー遺伝子および／または選抜マーカー遺伝子を導入してその発現を評価することで行うことで得ることができる。マーカー遺伝子および／または選抜マーカー遺伝子としては、例えば、ＧＵＳ（β−グルクロニダーゼ）遺伝子を用いたり、抗生物質耐性遺伝子（例えば、ＰＰＴ（フォスフィノスライシン）耐性遺伝子、カナマイシン耐性遺伝子）などを用いることができる。マーカー遺伝子としてＧＵＳ遺伝子を用いた場合、形質転換効率の評価はＸ−ｇｕｌｃ（５−ブロモ−４−クロロ−３−インドリル−β−Ｄ−グルクロン酸）のＧＵＳによる切断に伴う発色から評価することができる。選抜マーカー遺伝子として抗生物質耐性遺伝子を用いた場合には、形質転換した後、抗生物質を加えた選抜培地上での成長の度合いから評価することができる。【００４５】  さらに、外来遺伝子が安定して染色体に組み込まれたことを確認するためには、サザンブロット等の物理的データを得ることが好ましい。より好ましくは、有性生殖による子孫への伝達、並びに子孫集団への遺伝的および分子的分析に基づく選抜、の工程を行ってもよい。【００４６】  所望により選抜された形質転換体の再分化を行い、再分化個体を生育させ、そして完全な植物体を得てもよい。選抜した形質転換細胞から完全な植物体を再生するには、公知の方法（例えば、Ｈｉｅｉ  ｅｔ  ａｌ．１９９４，Ｉｓｈｉｄａ  ｅｔ  ａｌ．１９９６）により行うことができる。【００４７】  本発明の方法は、加圧処理を行わない場合と比較して、遺伝子導入効率及び／又は形質転換効率を向上させる。遺伝子導入効率は、例えば、導入した遺伝子の一過性の発現の範囲を調査することによって評価できる。後述の実施例では、未熟胚の胚盤でのＧＵＳ遺伝子の一過性の発現を１（スポット状の発現が散見）〜５（胚盤の全面で発現）の５段階の指数で評価した。あるいは、全体の発現量が低い場合には全てのスポット数を数えることにより評価することもできる。【００４８】  形質転換効率は、例えば、接種した未熟胚から得られた再分化植物のうちＧＵＳ遺伝子の発現を示したものを形質転換体として数え、その総数を接種した未熟胚の数で除することによって算出した。あるいは、再分化植物のうち選抜圧にたいし抵抗性を示したものを形質転換体として数え、その総数を接種した未熟胚の数で除することにより算出することもできる。【００４９】  本発明はまた、形質転換植物を生産するための方法を提供する。本発明の方法は、
１）植物材料を加圧処理し、
２）植物材料をアグロバクテリウムに感染させ
３）形質転換細胞を選抜し、そして
４）所望により選抜された形質転換体を再分化する
ことを含む。
効果【００５０】  本発明は、従来のアグロバクテリウム法よりも高い効率で遺伝子導入のなされる安価で簡便な方法を開発する。また、従来のアグロバクテリウム法では遺伝子導入が困難とされていた植物種及び品種にも適応できる方法を提供する。本発明の方法は、加圧処理を行わない場合と比較して、遺伝子導入効率及び／又は形質転換効率を向上させる。【００５１】  図１に示したように、単子葉植物であるイネにおいて加圧処理を行うことにより、未処理の場合と比較して遺伝子導入効率は２倍ないし３倍に向上した。また、図３に示したように、双子葉植物であるタバコにおいて、加圧処理を行うことにより、未処理の場合と比較して遺伝子導入効率は３倍ないし４倍に向上した。よって、本発明の方法を使用することによって、好ましくは遺伝子導入効率が実質的に向上するが、より好ましくは、２倍以上向上する。さらに形質転換効率は、表１に示されたようにイネにおいて、加圧処理を行うことにより、未処理の場合と比較して３倍ないし９倍に上昇した。よって、本発明の方法を使用することによって、好ましくは形質転換効率が実質的に向上するが、より好ましくは、３倍以上向上する。
【図面の簡単な説明】
【００５２】
【図１】図１は、気体中での加圧処理の遺伝子導入効率に及ぼす効果（イネ、品種：ゆきひかり）を示す。ｃｏｎｔｒｏｌ：前処理なしｐｒｅｓ．ｗ／ｏ  ｗａｔｅｒ：気体中＋５．７ａｔｍ，５分間加圧処理ｐｒｅｓ．ｉｎ  ｗａｔｅｒ：蒸留水中＋６．６ａｔｍ，５分間加圧処理各処理後、ＬＢＡ４４０４（ｐＳＢ１３４）を接種、７日間共存培養を行った後、ＧＵＳ分析した。
【図２】図２は、加圧処理の遺伝子導入に及ぼす効果（トウモロコシ）を示す。Ａ：前処理なし（対照）、Ｂ：１５，０００ｒｐｍ、１０分間遠心処理、Ｃ：  ＋３．２ａｔｍ、１０分間加圧処理、Ｄ：  ＋６．６ａｔｍ，５分間加圧処理各処理後、ＬＢＡ４４０４（ｐＳＢ１３１）を接種、３日間共存培養を行った後、ＧＵＳ分析した。
【図３】図３は、加圧処理の遺伝子導入効率に及ぼす効果（タバコ、品種：プチハバナＳＲ１）を示す。ｃｏｎｔｒｏｌ：前処理なし、ｐｒｅｓｓｕｒｅ：  ＋６．６ａｔｍ，５分間加圧処理各処理後、ＬＢＡ４４０４（ｐＳＢ１３４）を接種、４日間共存培養を行った後、ＧＵＳ分析した。
【実施例】
【００５３】  以下、実施例によって本発明を具体的に説明するが、これらは本発明の技術的範囲を限定するためのものではない。当業者は本明細書の記載に基づいて容易に本発明に修飾・変更を加えることができ、それらは本発明の技術的範囲に含まれる。【００５４】 実施例１  イネ形質転換に及ぼす加圧の効果
（１）加圧処理
５ｍｌのディスポーザブル注射器の先端に先を過熱しつぶしたマイクロピペットのチップを差込み適当な長さで切り落とした後、パラフィルムで先端を覆った。注射器にアグロバクテリウム懸濁用液体培地（ＡＡ主要無機塩、ＬＳ微量無機塩、ＭＳビタミン、ＡＡアミノ酸、０．２ｇ／ｌカザミノ酸、４ｇ／ｌシュークロース、２ｇ／ｌグルコース、ｐＨ５．２）あるいは滅菌蒸留水３ｍｌを入れ、その中に無菌的に採取した未熟胚（品種：コシヒカリ、朝の光）を入れた。また、培地や蒸留水などの液体を入れない注射器に採取した未熟胚（品種：ゆきひかり）を入れた。注射器を組み合わせ、クランプで注射器をはさみ、クランプを狭めることにより注射器内の圧を高めた。加圧したまま室温で静置した。加圧の強度は注射器内の空気の体積の減少率から算出した。対照はほぼ同数の未熟胚を液体培地あるいは滅菌蒸留水を入れた２ｍｌエッペンドルフチューブに採取し、室温で静置した。【００５５】 （２）接種
アグロバクテリウムの菌系及びアグロバクテリウムプラスミドベクターには、Ａｇｒｏｂａｃｔｅｒｉｕｍ  ｔｕｍｅｆａｃｉｅｎｓスーパーバイナリーベクターＬＢＡ４４０４（ｐＳＢ１３４）（Ｔ−ＤＮＡ領域に、トウモロコシユビキチンプロモーターでドライブされたユビキチンイントロンを結合したＨＰＴ遺伝子およびカリフラワーモザイクウイルス３５Ｓプロモーターでドライブされたヒマカタラーゼイントロンを結合したＧＵＳ遺伝子を有する）を用いた。ｐＳＢ１３４の作成は、ｐＫＹ２０５（Ｋｏｍｏｒｉ  ｅｔ  ａｌ．ＷＯ０３／０２７２９０）に発現マーカーとしてｐＳＢ３２由来の３５Ｓ−ｉｎｔｒｏｎ  ＧＵＳ−ｎｏｓ断片をＨｉｎｄＩＩＩ部位に挿入することによって行った。【００５６】  注射器をクランプから外し、注射器内の未熟胚を液体培地の入った２ｍｌエッペンドルフチューブに移した。５０ｍｇ／ｌハイグロマイシンおよび５０ｍｇ／ｌスペクチノマイシンを含むＡＢ培地上で３〜４日間培養した、ＬＢＡ４４０４（ｐＳＢ１３４）を白金耳でかきとり、約１０９ｃｆｕ／ｍｌの濃度で１００μＭアセトシリンゴンを含む液体培地１ｍｌに懸濁した。液体培地を除いたエッペンドルフチューブにアグロバクテリウム懸濁液１ｍｌを加え、３０秒間ボルテックスミキサーで撹拌後、室温で５分間静置した。未熟胚をｎＮ６−Ａｓ培地（Ｎ６無機塩、Ｎ６ビタミン、０．５ｇ／ｌカザミノ酸、０．５ｇ／ｌ  Ｌ−プロリン、１ｍｇ／ｌ  ２，４−Ｄ、０．５ｍｇ／ｌ  ＮＡＡ、０．１ｍｇ／ｌ  ６ＢＡ、２０ｇ／ｌシュークロース、１０ｇ／ｌグルコース、１０μＭ  ＡｇＮＯ３、１００μＭアセトシリンゴン、８ｇ／ｌアガロース、ｐＨ５．２）あるいはｎＮＢ−Ａｓ培地（Ｎ６主要無機塩、Ｂ５微量無機塩、Ｂ５ビタミン、０．５ｇ／ｌカザミノ酸、０．５ｇ／ｌ  Ｌ−プロリン、２ｍｇ／ｌ  ２，４−Ｄ、１ｍｇ／ｌ  ＮＡＡ、１ｍｇ／ｌ  ６ＢＡ、２０ｇ／ｌシュークロース、１０ｇ／ｌグルコース、１００μＭアセトシリンゴン、８ｇ／ｌアガロース、ｐＨ５．２）に置床し、暗黒下、２５℃で１週間培養した。【００５７】 （３）選抜、再分化
共存培養後の未熟胚をメスで４〜６分割し、ｎＮ６ＣＣ培地（Ｎ６無機塩、Ｎ６ビタミン、０．５ｇ／ｌカザミノ酸、０．５ｇ／ｌ  Ｌ−プロリン、１ｍｇ／ｌ  ２，４−Ｄ、０．５ｍｇ／ｌ  ＮＡＡ、０．１ｍｇ／ｌ  ６ＢＡ、２０ｇ／ｌシュークロース、５５ｇ／ｌソルビトール、２５０ｍｇ／ｌセフォタキシム、２５０ｍｇ／ｌカルベニシリン、５ｇ／ｌゲルライト、ｐＨ５．８）あるいはＮＢＫ４ＣＣ（ＮＢＫ４主要無機塩、Ｂ５微量無機塩、Ｂ５ビタミン、ＡＡアミノ酸、０．５ｇ／ｌカザミノ酸、０．５ｇ／ｌ  Ｌ−プロリン、１ｍｇ／ｌ  ２，４−Ｄ、０．５ｍｇ／ｌ  ＮＡＡ、０．１ｍｇ／ｌ  ６ＢＡ、２０ｇ／ｌマルトース、５５ｇ／ｌソルビトール、２５０ｍｇ／ｌセフォタキシム、２５０ｍｇ／ｌカルベニシリン、５ｇ／ｌゲルライト、ｐＨ５．８）に置床した。【００５８】  照明下２８℃で１週間培養後、カルスを５分割し、ハイグロマイシン５０ｍｇ／ｌを含むｎＮ６ＣＣ培地あるいはＮＢＫ４ＣＣ培地に置床し、同条件で１０日間培養した。増殖した細胞塊をハイグロマイシン５０ｍｇ／ｌを含む再分化培地（Ｎ６無機塩、Ｎ６ビタミン、ＡＡアミノ酸、１ｇ／ｌカザミノ酸、０．５ｍｇ／ｌカイネチン、２０ｇ／ｌシュークロース、３０ｇ／ｌソルビトール、４ｇ／ｌゲルライト、ｐＨ５．８）あるいは（ＮＢＫ４主要無機塩、Ｂ５微量無機塩、Ｂ５ビタミン、ＡＡアミノ酸、１ｇ／ｌカザミノ酸、２ｍｇ／ｌカイネチン、２０ｇ／ｌマルトース、３０ｇ／ｌソルビトール、５ｇ／ｌゲルライト、ｐＨ５．８）に置床し、同条件で約２週間培養した。
（４）ＧＵＳアッセイ
共存培養後の未熟胚および再分化個体から切り取った葉片を０．１％のＴｒｉｔｏｎ  Ｘ−１００を含む０．１Ｍリン酸緩衝液（ｐＨ６．８）に浸漬し、３７℃で１時間静置した。リン酸緩衝液でアグロバクテリウムを除去した後、１．０ｍＭ  ５−ブロモ−４−クロロ−３−インドリル−β−Ｄ−グルクロン酸（Ｘ−ｇｌｕｃ）および２０％メタノールを含むリン酸緩衝液を添加した。３７℃で２４時間処理した後、青色を呈する組織を顕微鏡下で観察した。【００５９】 （５）形質転換効率の算出
形質転換効率の算出は、具体的には以下のように行った。【００６０】  アグロバクテリウムを接種したイネ未熟胚では、胚盤の広い範囲でＧＵＳ遺伝子の一過性の発現を示すスポットが観察される。１つの胚盤でも離れた部位で観察されるスポットは個々に遺伝子導入のなされた独立の形質転換細胞に由来するものであると考えられる。共存培養後およびレスティング培養後に増殖した未熟胚を４から６の塊に分割した場合、由来は１つの未熟胚であっても分割して得られた２０〜３０の細胞塊からハイグロマイシン存在下で増殖してきたカルスおよびその再分化植物はそれぞれ独立の形質転換体であると考えられる。【００６１】  分割して得られた細胞塊から増殖したハイグロマイシン抵抗性カルスを１細胞塊から１カルス選び、ハイグロマイシンを含む再分化培地に置床した。そこから得られた再分化植物のうちＧＵＳ遺伝子の発現を示したものを形質転換体として数え、その総数を接種した未熟胚の数で除し、形質転換効率を算出した。【００６２】 （６）加圧強度の遺伝子導入効率に及ぼす効果
採取したコシヒカリ未熟胚を液体培地の入った注射器に入れ、０（常圧），０．６，１．４，３．２、６．６ａｔｍの圧をそれぞれ１５分間加えた後、アグロバクテリウム懸濁液に浸漬した。共存培地上で１週間培養した後、ＧＵＳ遺伝子の一過性の発現を調査した。常圧で処理した対照の未熟胚では胚盤の約半分が青色に染色される未熟胚も散見されたが、多くのものは胚盤表面にスポット状の発現を示した。０．６ａｔｍの強度で加圧した未熟胚は対照の未熟胚と同様の発現様式を示した。これに対し、１．４ａｔｍの強度で加圧した未熟胚の約半数は胚盤の約半分が青色に染色された。さらに３．２および６．６ａｔｍの強度で加圧した未熟胚はほとんどのものが胚盤の全面が青色に染色され、遺伝子導入効率が著しく向上していることが示された。【００６３】 （７）加圧時間の遺伝子導入効率に及ぼす効果
採取したコシヒカリ未熟胚を液体培地の入った注射器に入れ、＋６．６ａｔｍの圧を０、１、３、５又は６０秒間加えた後、アグロバクテリウム懸濁液に浸漬した。共存培地上で１週間培養した後、ＧＵＳ遺伝子の一過性の発現を調査した。０秒（常圧）で処理した対照の未熟胚は胚盤表面にスポット状の発現を示した。これに対し、＋６．６ａｔｍの強度で１秒間加圧した未熟胚はそのほとんどが胚盤の全面での一過性の遺伝子発現を示した。３秒間以上加圧した未熟胚においても１秒間と同様の発現様式を示し、極めて短時間の加圧処理でも遺伝子導入効率を著しく向上させる効果のあることが示された。【００６４】 （８）アグロバクテリウム共存・非共存下での加圧処理の形質転換効率の及ぼす効果
採取したコシヒカリ未熟胚を滅菌蒸留水、液体培地及びアグロバクテリウムＬＢＡ４４０４（ｐＳＢ１３４）菌を約１ｘ  １０９ｃｆｕ／ｍｌで懸濁したアセトシリンゴン１００μＭを含む液体培地の入った注射器にそれぞれ入れ、＋６．６ａｔｍの強度で１５分間加圧した。アグロバクテリウム懸濁液中で加圧した未熟胚は、加圧後、共存培地に置床した。滅菌蒸留水及び液体培地中で加圧した未熟胚は加圧後、アグロバクテリウム懸濁液に浸漬した後、共存培地に置床した。１週間共存培養した未熟胚のＧＵＳ遺伝子の一過性の発現を調査した。加圧処理をしない対照の未熟胚は一部の未熟胚で胚盤の約半分が青色を呈したが、ほとんどの未熟胚はスポット状の発現を示した。これに対し、加圧処理した未熟胚では、アグロバクテリウムと共存させる、させないに関わらず分析に供した未熟胚の全てが胚盤全面でＧＵＳ遺伝子の発現を示した。滅菌蒸留水、液体培地の間にも差は見られなかった。【００６５】  滅菌蒸留水中で加圧した未熟胚およびアグロバクテリウムとの共存下で加圧した未熟胚をハイグロマイシンを含む培地で培養し、形質転換植物の選抜、再分化を行った。滅菌蒸留水中で加圧した後に、アグロバクテリウムを接種した未熟胚１２個からは、ハイグロマイシン抵抗性かつＧＵＳ陽性の形質転換植物は６３系統得られた。形質転換効率は５２５％であった。一方、アグロバクテリウム懸濁液中で加圧処理した未熟胚１２個からは５４系統の形質転換植物が得られ、効率は４５０％であった。【００６６】  アグロバクテリウムと共存させずに加圧した方がアグロバクテリウム共存下で加圧したときよりも形質転換効率が高かったことから、本法でみられた加圧処理による遺伝子導入効率向上の効果は加圧による植物組織へのアグロバクテリウムの浸透の促進によるものではないことが明らかとなった。すなわち本願発明はＴｅａｓｄａｌｅ  ｅｔ  ａｌ．（ＷＯ  ９９／４８３３５）の述べた機作とは全く別の働きにより遺伝子導入効率を高めるものであることが示された。【００６７】 （９）気体中での加圧処理の遺伝子導入効率に及ぼす効果
採取したゆきひかり未熟胚を液体を入れない注射器及び滅菌蒸留水を入れた注射器にそれぞれ入れた。液体を入れない注射器は＋５．７ａｔｍの強度で５分間加圧した。滅菌蒸留水を入れた注射器は＋６．６ａｔｍの強度で５分間加圧した。加圧した未熟胚を常圧に戻した後、アグロバクテリウム懸濁液に浸漬し、共存培地に置床した。対照の未熟胚は滅菌水中で常圧で５分間静置後、アグロバクテリウム懸濁液に浸漬し、共存培地に置床した。１週間共存培養した未熟胚の胚盤でのＧＵＳ遺伝子の一過性の発現を１（スポット状の発現が散見）〜５（胚盤の全面で発現）の５段階の指数で調査した。気体中で加圧した未熟胚での発現は蒸留水中で加圧した未熟胚に比べやや劣ったが、無処理の対照の未熟胚に比べ明らかに広範囲な発現を示した（図１）。【００６８】  このように、加圧による遺伝子導入効率向上の効果はアグロバクテリウム接種前の植物組織を液体中で加圧した場合だけでなく、気体中で加圧した場合にも同様にみられることが明らかとなった。【００６９】 （１０）加圧処理の形質転換効率に及ぼす効果
採取した未熟胚（品種：コシヒカリ、朝の光）を液体培地の入った注射器に入れ、＋６．６ａｔｍの圧を１５分間加えた後、アグロバクテリウム懸濁液に浸漬した。共存培地上で１週間培養した後、ハイグロマイシンを含む培地で培養し、形質転換植物の選抜、再分化を行った。再分化したハイグロマイシン抵抗性植物の葉の一部を切り取りＧＵＳ分析を行った。結果を表１に示す。【００７０】
【表１】
0004532413.tif 000002
加圧処理した未熟胚は無処理の未熟胚の３倍から９倍以上の形質転換効率を示し、加圧処理が形質転換効率の向上に極めて効果のあることが明らかとなった。
実施例２  トウモロコシ形質転換に及ぼす加圧の効果
大きさ約１．２ｍｍのトウモロコシ未熟胚（品種：Ａ１８８）を無菌的に取り出し、アグロバクテリウム懸濁用液体培地（ＬＳ−ｉｎｆ，Ｉｓｈｉｄａ  ｅｔ  ａｌ．１９９６）に浸漬した。加圧処理は液体培地を入れた注射器に未熟胚を入れ、注射器を挟んだクランプの幅を狭めることにより行った。加圧の強度は＋６．６ａｔｍ、５分間あるいは＋３．２ａｔｍ、１０分間で行った。遠心処理は液体培地を入れたエッペンドルフチューブに未熟胚を入れ、遠心機で１５，０００ｒｐｍ、４℃、１０分間遠心分離した。加圧あるいは遠心処理した未熟胚を、Ａｇｒｏｂａｃｔｅｒｉｕｍ  ｔｕｍｅｆａｃｉｅｎｓ  ＬＢＡ４４０４（ｐＳＢ１３１）菌株（Ｉｓｈｉｄａ  ｅｔ  ａｌ．１９９６）を約１ｘ１０９ｃｆｕ／ｍｌで懸濁したアセトシリンゴン１００μＭを含むＬＳ−ｉｎｆ培地に浸漬後、ＬＳ−ＡＳ共存培地に置床した。２５℃、暗黒下で３日間培養後、ＧＵＳ分析を行った。対照の未熟胚は採取後、液体培地に浸漬した後、同方法によりアグロバクテリウムを接種した。【００７１】  対照の未熟胚は胚盤表面に青色のスポット状にＧＵＳ遺伝子の一過性の発現を示した。加圧処理あるいは遠心処理した後、アグロバクテリウムを接種した未熟胚では胚盤の約１／３が全て青色に染色されるエリア状の発現を示した。特に＋３．２ａｔｍ、１０分間加圧した未熟胚では胚盤の全面でＧＵＳ遺伝子の発現を示すものが複数みられた（図２）。アグロバクテリウム接種前の植物組織に遠心処理を行うことにより形質転換効率の高まることは既に報告されている（Ｈｉｅｉ  ｅｔ  ａｌ．，ＷＯ０２／１２５２０）。【００７２】  これらのことから加圧処理はイネだけでなく他の単子葉植物のトウモロコシにおいても遺伝子導入効率を向上させる働きのあること、そしてその効果は既報の遠心処理と同等かそれ以上であることが明らかとなった。【００７３】 実施例３  タバコ形質転換に及ぼす加圧の効果
タバコ（品種：プチハバナＳＲ１）の展開葉を常法により滅菌した後、約１ｃｍ角の葉片とした。対照の葉片はＡｇｒｏｂａｃｔｅｒｉｕｍ  ｔｕｍｅｆａｃｉｅｎｓ  ＬＢＡ４４０４（ｐＳＢ１３４）を懸濁したＬＳ−Ｒ培地（Ｋｏｍａｒｉ，１９９０）に浸漬し、２５℃で１５分間緩やかに振盪した後、ＬＳ−Ｒ培地に浸漬し、２５℃、暗黒下で４日間培養した。加圧区の葉片はＬＳ−Ｒ培地を入れた注射器内で＋６．６ａｔｍ、１５分間加圧した後、対照の葉片と同様の方法でアグロバクテリウムを接種し、培養した。共存培養後の葉片をＧＵＳ分析した。【００７４】  ＧＵＳ分析後の各葉片の示すＧＵＳ遺伝子の発現部位の大きさにより、０（無発現）から３（葉片全体で発現）の４段階の指数で調査した。結果を図３に示す。対照の葉片では葉の切断部分でＧＵＳ発現を示す葉片が多くみられ、切断部より内部の広い範囲で発現を示す葉片はほとんどみられなかった。これに対し、加圧処理後アグロバクテリウムを接種した葉片では、ほとんどの葉片が切断部および内部の広い範囲で濃い青色を呈し、広範に遺伝子導入のなされていることが示された。このことから、加圧処理はイネ、トウモロコシなどの単子葉植物だけでなく、双子葉植物においても遺伝子導入効率を高める効果のあることが明らかとなった。【００７５】 実施例４  加圧処理のカルス増殖に及ぼす効果
採取したコシヒカリ未熟胚をアグロバクテリウム懸濁用液体培地中で＋６．６ａｔｍの強度で１５分間加圧した後、ＮＢＫ４ＣＣ培地に置床した。対照の未熟胚は常圧下で同液体培地に浸漬後、ＮＢＫ４ＣＣ培地に置床した。２５℃、暗黒下で１週間培養後１０個の未熟胚の生重を測定した。試験は５反復で行った。アグロバクテリウムの接種は両区とも行わなかった。結果を表２に示す。【００７６】
【表２】
0004532413.tif 000003
対照の未熟胚を１週間培養したときの平均生重は６６．３ｍｇ／１０未熟胚であった。加圧処理した後、同期間培養した未熟胚では７５．１ｍｇ／１０未熟胚であり、有意な差が認められた。１週間培養した対照の未熟胚は胚盤表面がややカルス化し、淡い黄白色を呈した。これに対し、加圧処理した未熟胚ではコブ状のカルス化がみられ、対照よりも濃い黄白色を示した。肉眼での観察においても加圧処理した未熟胚の方がより旺盛に増殖していることが認められた。このように加圧処理は遺伝子導入効率を向上させるだけでなく、細胞の増殖を活発にする働きのあることが明らかとなった。【００７７】  本発明の効果のひとつである高圧力の短時間処理による植物組織の細胞増殖率の向上は、＋０．５ａｔｍという低い圧力を１−１０週間加えた状態で培養することによりエンブリオジェニックなカルスの形成率を高めるという米国特許第６，４９２，１７４号の方法とは、処理条件が異なるだけでなく、処理の結果として得られる効果も異なることから、別の機作によるのものであると考えられる。
【図１】
0004532413.tif 000004
【図２】
0004532413.tif 000005
【図３】
0004532413.tif 000006